(57)【特許請求の範囲】
【請求項１】
入力手段と表示手段とを有する表示装置と通信可能なレンズ装置であって、
前記表示手段に表示させる表示データを構成する構成手段と、
前記表示データを前記表示装置に送信し、前記表示装置から前記入力手段の操作信号と、前記表示装置で表示可能な範囲に関する情報を含む装置情報を受信する通信手段と、
を備え、
前記構成手段は、前記通信手段が受信した前記装置情報に基づいて前記表示データを構成し、
前記構成手段は、前記通信手段が受信した前記操作信号に基づき前記表示データを更新する、
ことを特徴とするレンズ装置。
【請求項２】
前記構成手段は、設定画面データを記憶する記憶手段を有し、
前記通信手段は、前記装置情報として前記表示装置が表示可能な行数に関する情報を前記表示装置から受信し、
前記構成手段は、前記表示装置が表示可能な行数が、前記設定画面データの行数未満である場合には、前記表示データの行数を前記表示装置が表示可能な行数とする、
ことを特徴とする請求項１に記載のレンズ装置。
【請求項３】
前記構成手段は、前記レンズ装置の情報に基づいて前記表示データを構成し、
前記レンズ装置の情報は、少なくとも、ズーム、フォーカス、又は、アイリスに関する情報を含む、
ことを特徴とする請求項１又は２に記載のレンズ装置。
【請求項４】
前記通信手段は、前記レンズ装置との通信が確立した後に、前記表示装置から前記装置情報を受信し、
前記構成手段は、前記装置情報に基づいて前記表示データの表示方法を設定し、受信した前記操作信号に基づき前記表示データの内容を更新する、
ことを特徴とする請求項１乃至３のいずれか１項に記載のレンズ装置。
【請求項５】
前記表示データの形式は、ＨＴＭＬ、ＡＳＣＩＩ、イメージのいずれかであることを特徴とする請求項４に記載のレンズ装置。
【請求項６】
前記表示装置は、前記レンズ装置のズーム機能を操作するズーム操作装置であることを特徴とする請求項１乃至５のいずれか１項に記載のレンズ装置。
【請求項７】
前記装置情報は、前記表示装置で表示するために必要とする機能に関する情報を要求する情報であることを特徴とする請求項１乃至６のいずれか１項に記載のレンズ装置。
【請求項８】
入力手段と表示手段とを有し、第１の操作を行うための表示装置と通信可能なレンズ装置であって、
前記表示手段に表示させる表示データを構成する構成手段と、
前記表示データを前記表示装置に送信し、前記表示装置から前記入力手段の操作信号を受信する通信手段と、
を備え、
前記構成手段は、前記第１の操作に関する第１の情報を含む第１の設定画面データと、前記第１の操作に関する第２の情報を含む第２の設定画面データとを記憶する記憶手段を有し、
前記構成手段は、前記表示装置からの要求に基づき、前記第１の設定画面データに含まれる前記第１の情報と、前記第２の設定画面データに含まれる前記第２の情報を含むように前記表示データを構成し、
前記構成手段は、前記通信手段が受信した前記操作信号に基づき前記表示データを更新する、
ことを特徴とするレンズ装置。
【請求項９】
レンズ装置と接続し、入力手段と表示手段とを有する表示装置と通信可能なカメラ装置であって、
前記表示手段に表示させる表示データを構成する構成手段と、
前記表示データを前記表示装置に送信し、前記表示装置から前記入力手段の操作信号と、前記表示装置で表示可能な範囲に関する情報を含む装置情報を受信する通信手段と、
を備え、
前記構成手段は、前記通信手段が受信した前記装置情報に基づいて前記表示データを構成し、
前記構成手段は、前記通信手段が受信した前記操作信号に基づき前記表示データを更新する、
ことを特徴とするカメラ装置。
【請求項１０】
レンズ装置と接続し、入力手段と表示手段とを有し、第１の操作を行うための表示装置と通信可能なカメラ装置であって、
前記表示手段に表示させる表示データを構成する構成手段と、
前記表示データを前記表示装置に送信し、前記表示装置から前記入力手段の操作信号を受信する通信手段と、
を備え、
前記構成手段は、前記第１の操作に関する第１の情報を含む第１の設定画面データと、前記第１の操作に関する第２の情報を含む第２の設定画面データとを記憶する記憶手段を有し、
前記構成手段は、前記表示装置からの要求に基づき、前記第１の設定画面データに含まれる前記第１の情報と、前記第２の設定画面データに含まれる前記第２の情報を含むように前記表示データを構成し、
前記構成手段は、前記通信手段が受信した前記操作信号に基づき前記表示データを更新する、
ことを特徴とするカメラ装置。
【請求項１１】
前記構成手段は、前記レンズ装置の情報に基づいて前記表示データを構成し、
前記レンズ装置の情報は、少なくとも、ズーム、フォーカス、又は、アイリスに関する情報を含む、
ことを特徴とする請求項９又は１０に記載のカメラ装置。
【請求項１２】
請求項１乃至８のいずれか１項に記載のレンズ装置と、該レンズ装置からの被写体光を受光し撮像する撮像素子と、を含む撮像装置。
【請求項１３】
レンズ装置と、該レンズ装置からの被写体光を受光し撮像する撮像素子を含む請求項９乃至１１のいずれか１項に記載のカメラ装置と、を含む撮像装置。
【発明の詳細な説明】
【技術分野】
【０００１】
本発明は、レンズ装置、カメラ装置及び撮像装置に関し、特に入力手段と表示手段とを有する表示装置を使用して該レンズ装置の機能設定や設定確認を行うレンズ装置、カメラ装置及び撮像装置に関するものである。
【背景技術】
【０００２】
撮影に用いられる撮像装置は、種々の機能を備えており、ユーザは撮影現場にて、現場に適するように撮像装置の機能設定を行うために、これら機能状態を確認する必要がある。撮像装置の機能設定には、例えば、撮像装置のスイッチへの機能の割付けや、撮像装置の動作に関する設定がある。
【０００３】
しかし、撮像装置に、機能状態を確認するための表示部がない場合や、表示部があってもユーザが撮像装置から離れた場所にいる場合は、機能状態を確認できない。
表示部がある撮像装置においても、撮像装置の小型化により表示部は大きくできないため表示スペースは限られてしまう。このため視認性の向上が要望されている。
【０００４】
また、３Ｄ撮影時には、２つの撮像装置に対して様々な調整を行う必要がある。その際、図９（ａ）のように２つの撮像装置の一方を他方に対して光軸を中心に反転した状態でセッティングする場合がある。また、図９（ｂ）のように一方の撮像装置を他方に対して光軸が垂直となるようにセッティングする場合があり、表示部が見づらくなってしまうこともある。
【０００５】
従来、視認性向上のため、専用のアプリケーションを用いて、機能状態確認用の表示部を実現させる方法がある。
例えば、特許文献1に、レンズ操作を実行するためのプログラムを外部記憶媒体（ハードディスク、フロッピディスク等）から読み出し、パソコンのモニタ上にレンズ操作画面を起動させ、パソコンで制御に関する操作を行う技術が開示されている。
【先行技術文献】
【特許文献】
【０００６】
【特許文献１】特開２０００−３０５００３公報
【発明の概要】
【発明が解決しようとする課題】
【０００７】
しかしながら、上述の特許文献に開示された従来技術を用いると、撮影現場で撮像装置の機能状態を確認する場合、専用のアプリケーションが必須となる。専用のアプリケーションは、撮像装置１台につき１つずつ必要である。また、撮像装置の仕様変更への依存性が高いため、仕様が変更される度に、専用のアプリケーションのアップデートが必要となる。このため、専用のアプリケーションは現場には不向きであり、撮影現場に用いることが難しい。
【０００８】
そこで、本発明では、レンズ装置の機能表示の視認性・操作性向上のために、特別な機器やアプリケーションソフトを必要とすることなしに、接続された表示装置に設定画面を送信して表示させることと、表示装置からの設定を可能にしたレンズ装置、カメラ装置及び撮像装置を提供することである。
【課題を解決するための手段】
【０００９】
上記目的を達成するために、本発明のレンズ装置は、入力手段と表示手段とを有する表示装置と通信可能なレンズ装置であって、前記表示手段に表示させる表示データを構成する構成手段と、前記表示データを前記表示装置に送信し、前記表示装置から前記入力手段の操作信号と、前記表示装置で表示可能な範囲に関する情報を含む装置情報を受信する通信手段と、を備え、前記構成手段は、前記通信手段が受信した前記装置情報に基づいて前記表示データを構成し、前記構成手段は、前記通信手段が受信した前記操作信号に基づき前記表示データを更新することを特徴とする。
本発明の別の態様のレンズ装置は、入力手段と表示手段とを有し、第１の操作を行うための表示装置と通信可能なレンズ装置であって、前記表示手段に表示させる表示データを構成する構成手段と、前記表示データを前記表示装置に送信し、前記表示装置から前記入力手段の操作信号を受信する通信手段と、を備え、前記構成手段は、前記第１の操作に関する第１の情報を含む第１の設定画面データと、前記第１の操作に関する第２の情報を含む第２の設定画面データとを記憶する記憶手段を有し、前記構成手段は、前記表示装置からの要求に基づき、前記第１の設定画面データに含まれる前記第１の情報と、前記第２の設定画面データに含まれる前記第２の情報を含むように前記表示データを構成し、前記構成手段は、前記通信手段が受信した前記操作信号に基づき前記表示データを更新することを特徴とする。
【００１０】
また、本発明のカメラ装置は、レンズ装置と接続し、入力手段と表示手段とを有する表示装置と通信可能なカメラ装置であって、前記表示手段に表示させる表示データを構成する構成手段と、前記表示データを前記表示装置に送信し、前記表示装置から前記入力手段の操作信号と、前記表示装置で表示可能な範囲に関する情報を含む装置情報を受信する通信手段と、を備え、前記構成手段は、前記通信手段が受信した前記装置情報に基づいて前記表示データを構成し、前記構成手段は、前記通信手段が受信した前記操作信号に基づき前記表示データを更新する、ことを特徴とする。
本発明の別の態様のカメラ装置は、レンズ装置と接続し、入力手段と表示手段とを有し、第１の操作を行うための表示装置と通信可能なカメラ装置であって、前記表示手段に表示させる表示データを構成する構成手段と、前記表示データを前記表示装置に送信し、前記表示装置から前記入力手段の操作信号を受信する通信手段と、を備え、前記構成手段は、前記第１の操作に関する第１の情報を含む第１の設定画面データと、前記第１の操作に関する第２の情報を含む第２の設定画面データとを記憶する記憶手段を有し、前記構成手段は、前記表示装置からの要求に基づき、前記第１の設定画面データに含まれる前記第１の情報と、前記第２の設定画面データに含まれる前記第２の情報を含むように前記表示データを構成し、前記構成手段は、前記通信手段が受信した前記操作信号に基づき前記表示データを更新する、ことを特徴とする。
【発明の効果】
【００１１】
本発明によれば、レンズ装置、カメラ装置及び撮像装置の機能表示の視認性・操作性向上のために、特別な機器を必要とすることなしに、接続された表示装置に表示データを送信し表示することと、表示装置からの設定を可能にしたレンズ装置、カメラ装置及びそれらを含む撮像装置を提供することができる。
【図面の簡単な説明】
【００１２】
【図１】実施例１における撮像システムのブロック図である。
【図２】表示装置操作処理を示すフローチャート図である。
【図３】表示データ構成部において生成された表示データの一例である。
【図４】表示装置の表示部の設定画面の一例である。
【図５】表示装置接続時の設定処理を示すフローチャート図である。
【図６】表示装置のデータ形式に従って構成された表示部の設定画面の一例である。
【図７】表示装置の表示範囲に従って構成された表示部の設定画面の一例である。
【図８】表示装置の要求に従って構成された表示部の設定画面の一例である。
【図９】３Ｄ設定時における撮像システムの概略図である。
【発明を実施するための形態】
【００１３】
以下に、本発明の好ましい実施の形態を、添付の図面に基づいて詳細に説明する。図１は、本発明の実施形態にかかわる構成ブロック図である。
【実施例１】
【００１４】
以下、図１〜図８を参照して、本発明の第１の実施例による、レンズ装置について説明する。
【００１５】
図１は、本発明の実施例における撮像システムのブロック図である。図１において、１００はレンズ装置、２００は表示装置である。
【００１６】
まず、レンズ装置１００について説明する。
レンズ装置１００には、通信部（通信手段）１０１、演算処理部１０２、表示データ構成部（構成手段）１０３が構成されている。
【００１７】
通信部１０１は、レンズ装置１００と接続される外部の機器である表示装置との間で信号の送受信を行う通信手段である。
【００１８】
演算処理部１０２は、通信部１０１を介して入力された外部の機器である表示装置の操作信号を、表示データ構成部１０３へ出力する。また、演算処理部１０２は、表示データ構成部１０３から表示データを取得し、通信部１０１を介して外部の表示装置に出力し、通信部１０１を介して表示装置２００の後述する表示装置情報を取得し、取得した表示装置情報を表示データ構成部１０３へ出力する。
【００１９】
表示データ構成部１０３は、演算処理部１０２から入力された、表示装置からの操作信号や後述する表示装置情報に基づいて、通信部を介して表示装置に出力し、表示装置内の表示手段に表示させるための表示データを構成する。
【００２０】
次に、外部装置としてレンズ装置１００と通信可能に接続される表示装置２００について説明する。
表示装置２００には、通信部２０１、入力部（入力手段）２０２、表示部（表示手段）２０３が構成されている。
【００２１】
通信部２０１は、接続されているレンズ装置１００の通信部１０１から入力された表示データを、表示部２０３に出力する。また、入力部２０２から入力された操作信号をレンズ装置１００に出力する。また、後述する表示装置情報をレンズ装置１００に送信することも可能である。
【００２２】
入力部２０２は、「上方向キー」、「下方向キー」、「左方向キー」、「右方向キー」、「決定キー」の入力をすることが可能であり、それぞれに対応する操作信号を生成する。
【００２３】
表示部２０３は、通信部２０１を介してレンズ装置１００の通信部１０１から入力された表示データを表示する。
【００２４】
このように構成することで、表示装置２００は、通信部２０１を介してレンズ装置１００からの受信した表示データを表示部２０３に表示し、入力部２０２からの操作信号を通信部２０１を介してレンズ装置１００に出力する。
【００２５】
レンズ装置１００の通信部１０１と、表示装置２００の通信部２０１を接続することにより、次のような処理が可能となる。
【００２６】
以下、図２のフローチャートを参照して、レンズ装置１００の表示データ更新処理１の処理について説明する。
この処理は、レンズ装置１００の演算処理部１０２に格納されたコンピュータプログラムに従って定期的に行われる。また、通信部１０１を介して表示装置２００から操作信号を受信すると開始される処理であり、ステップＳ２０１に進む。
【００２７】
ステップＳ２０１では、演算処理部１０２にて受信した操作信号を解釈し、どの操作信号が送られてきたのかを判定する。
【００２８】
ステップＳ２０２では、判定が「上方向キー」、「下方向キー」、「左方向キー」、「右方向キー」、「決定キー」の操作信号であった場合、ステップＳ２０３に進み、それ以外の場合は、ステップＳ２０５に進み処理を終了する。
【００２９】
ステップＳ２０３では、演算処理部１０２の判定結果に従い、受信した操作信号に基づき表示データ構成部１０３で表示データの内容を構成する。表示データの構成が完了するとステップＳ２０４に進む。
【００３０】
ステップＳ２０４では、所定のデータ形式、所定の表示方法に従って表示データ構成部１０３で構成された表示データを、通信部１０１を介して表示装置２００に送信する。
【００３１】
このように構成することで、入力部２０２からの操作信号は演算処理部１０２に送られ、表示データ構成部１０３で操作信号に基づいて構成された表示データは、入力手段からの操作に応じて更新された設定画面として表示部２０３に表示することが可能となる。
【００３２】
次に、入力部２０２を操作した場合の、操作に基づく表示データ更新処理の一例について述べる。図３は、レンズ装置１００のズーム機能に関して構成された表示データの一例を示している。例えば、表示データ構成部１０３で構成した表示データ（図３（ａ））は、表示部２０３では、図４（ａ）のように表示される。図４（ａ）の１行目にあるカーソル位置を２行目に移動させたい場合、表示装置２００の入力部２０２で「下方向キー」の操作を行う。「下方向キー」の操作信号は、表示装置２００から通信部２０１、１０１を介してレンズ装置１００の表示データ構成部１０３に送られる。レンズ装置１００では、図２に示した表示データ更新処理１に従って、表示データ構成部１０３において図３（ａ）から図３（ｂ）のようなカーソル位置が２行目に移動した表示データが構成される。演算処理部１０２は、更新された表示データを表示装置２００に送信することで、図４（ｂ）のような設定画面が表示部２０３に表示される。
【００３３】
このように構成することで、表示装置２００において、表示する画面を操作に応じて再構成する専用のアプリケーションを必要とすることなしに、入力部２０２からの入力に応じて表示部２０３に表示する画像を変更させて、インタラクティブな表示や操作が可能となる。
【００３４】
表示装置２００は、例えば、通常の撮影で使用するズームやフォーカスの操作装置（操作デマンド）や、パソコン、タブレット等、表示手段と入力手段とを備える装置で実現することができる。例えば、表示装置２００をパソコン、表示部２０３のデータ形式をＨＴＭＬとして表示データ構成部１０３で表示データを構成するようにしてもよい。その場合には、パソコンのブラウザソフトを用いて画面上に表示させ、キーボードやマウス、又はその他の入力デバイスからの入力信号によって、表示装置が特別なソフトウエアを必要とすること無く、インタラクティブにレンズ装置の諸項目の設定や表示が可能となる。
【００３５】
また、表示装置２００を、レンズ装置１００が備える不図示のズーム部を操作するズーム操作装置（ズームデマンド）として構成することもできる。この場合、表示データ構成部１０３で構成する表示データは、ズーム操作装置に搭載される表示デバイスに表示可能なデータとする。このように構成することで、ズーム操作装置にレンズ装置１００のデータを表示可能となる。
【００３６】
このような構成にすることで、パソコンや特別な設定装置などを必要とすることなく、撮影時にその場にある機材のみで設定が可能となる。
【００３７】
以下、図５のフローチャートを参照して、表示装置接続時の表示装置情報設定処理について説明する。
この処理は、演算処理部１０２に格納されたコンピュータプログラムに従って行われる。また、表示装置２００がレンズ装置１００に接続され、相互に通信可能状態となった後（通信が確立した後）の初期化の時に、ステップＳ５０１に進む。
【００３８】
ステップＳ５０１では、演算処理部１０２にて、通信部１０１を介して表示装置情報を取得しステップＳ５０２に進む。表示装置情報については後述する。
【００３９】
ステップＳ５０２では、演算処理部１０２で取得した表示装置情報を表示データ構成部１０３に出力し、表示データ構成部１０３は表示装置情報に基づいて後述する表示データの形式や表示方法を設定する。
【００４０】
このように処理を行うことで、表示データ構成部１０３に、表示装置情報を設定することが可能となる。
【００４１】
次に、表示装置情報の詳細について説明する。表示装置情報には「データ形式」「表示範囲」「要求」等がある。
まず、表示装置２００の表示装置情報「データ形式」に従って構成される表示データと、表示部２０３の一例について図６を用いて説明する。
【００４２】
図６（ａ）は設定画面データ、図６（ｂ）（ｄ）（ｆ）は表示データ構成部１０３で構成される表示データ、図６（ｃ）（ｅ）（ｇ）はそれぞれの表示方法に従って表示部２０３に表示される設定画面である。
まず、表示データ構成部１０３にある不図示の記憶部は、図６（ａ）のような設定画面データを一つ以上所持している。
【００４３】
表示装置情報の「データ形式」がＨＴＭＬの場合、この設定画面データを表示データ構成部１０３にて、図６（ｂ）に示すＨＴＭＬで構成した表示データに変換する。これによって、通信部１０１，２０１を介して、表示装置２００には、図６（ｂ）のＨＴＭＬ形式の表示方法に応じた表示データが出力され、図６（ｃ）のような設定画面が表示部２０３に表示される。
【００４４】
また、表示装置情報の「データ形式」がＡＳＣＩＩの場合は、設定画面データを図６（ｄ）に示すＡＳＣＩＩで構成した表示データに変換する。これによって、通信部１０１，２０１を介して、表示装置２００には、図６（ｄ）のＡＳＣＩＩ形式の表示データが出力され、図６（ｅ）のような設定画面が表示部２０３に表示される。ＡＳＣＩＩは使用できる文字が限られるため、ＡＳＣＩＩ形式での表示方法では、行頭の＊は下線のある行を示し、ＵＤは上下方向の矢印を代替して示している。
【００４５】
また、表示装置情報の「データ形式」がイメージデータの場合は、設定画面データを図６（ｆ）に示すイメージデータで構成した表示データに変換する。これによって、通信部１０１，２０１を介して、表示装置２００には、図６（ｆ）のイメージ形式の表示データが出力され、この形式の表示方法では、図６（ｇ）のような設定画面が表示部２０３に表示される。
【００４６】
次に、表示装置２００の表示装置情報「表示範囲」に従って構成される表示データと、表示部２０３の一例について図７を用いて説明する。図７では、「表示範囲」として行数が設定され、設定行数が４行と６行の例を示す。
【００４７】
図７（ａ）は設定画面データ、図７（ｂ）（ｄ）は表示データ構成部１０３で構成される表示データ、図７（ｃ）（ｅ）は表示部２０３に表示される設定画面である。
まず、図７（ａ）のように設定画面データが５行構成の場合を考える。表示装置の「表示範囲」が４行の場合は、全てを表示することが不可能であるため、表示データ構成部１０３にて、図７（ｂ）に示すような４行に合わせた表示データに変換する。よって、図７（ｃ）のような設定画面が表示部２０３に表示可能となる。
また、表示装置の「表示範囲」が６行の場合は全てを表示することが可能であるため、表示データの構成を変更せず、図７（ｅ）のような設定画面が表示部２０３に表示可能となる。
【００４８】
次に、表示装置２００の表示装置情報「要求」に従って構成される表示データと、表示部２０３の一例について図８を用いて説明する。
図８（ａ）（ｂ）は設定画面データ、図８（ｃ）は表示データ構成部１０３で構成される表示データ、図８（ｄ）は表示部２０３に表示される設定画面である。
【００４９】
例えば、設定画面データαは、図８（ａ）のようにズーム機能が構成された設定画面データ、設定画面データβは、図８（ｂ）のように複数の機能が構成された設定画面データである場合を考える。もし、不図示のズーム部を操作するズーム操作装置（ズームデマンド）を表示装置２００として使用する場合、ズームに関連する機能情報が必要となる。よって、表示装置情報の「要求」は、ズーム機能に関する情報を通信する要求をレンズ装置に出力することになる。レンズ装置１００は、ズーム操作装置である表示装置２００から表示装置情報「要求」を受信すると、表示データ構成部１０３にて、表示装置２００に出力するためのズームに関連する表示データ（図８（ｃ））が構成される。よって、図８（ｄ）のような設定画面が表示部２０３に表示可能となる。
以上により、表示装置情報に対応した表示データに変換可能となる。
【００５０】
本実施例によれば、撮像装置の機能表示の視認性・操作性向上のために、特別な機器を用意することなしに、接続された表示装置に設定画面を送信し表示することと、表示装置からの設定を可能にした撮像装置を提供することができる。
【００５１】
上記実施の形態では、操作信号に関し、「上方向キー」、「下方向キー」、「左方向キー」、「右方向キー」、「決定キー」の操作に関する信号として示しているが、上記実施の形態で示したような表示データを操作する信号であればよい。
【００５２】
また、表示装置２００の「データ形式」に関し、上記実施の形態では、ＡＳＣＩＩ、ＨＴＭＬ、イメージデータとして説明したが、「データ形式」はＡＳＣＩＩ、ＨＴＭＬ、イメージデータに限定しない。
【００５３】
また、表示装置２００の「表示範囲」に関し、上記実施の形態では、行数として説明したが、必ずしも行数である必要はなく、上記実施の形態で示したような表示装置２００の「表示範囲」の大きさを示す単位であればよい。
【００５４】
また、表示装置２００の「要求」に関し、上記実施の形態では、ズームに特化した機能情報として説明したが、必ずしもズームに特化した機能情報である必要はなく、例えば、フォーカス、アイリスなどのその他の機能情報でもよい。
【００５５】
また、表示データに関し、上記実施の形態では、ズーム機能が構成された表示データとして説明したが、必ずしもズーム機能が構成された表示データである必要はなく、撮像装置１００内にある機能を示す表示データであればよく、構成の組み合わせは限定しない。
【００５６】
また、上記実施の形態では、表示装置２００をパソコン、ズーム操作装置として説明したが、必ずしもパソコン、ズーム操作装置を使用する必要はない。表示装置２００は、フォーカス操作装置、カメラ、スマートフォン、タブレットなど、通信部２０１、入力部２０２、表示部２０３を搭載する装置であれば同様の効果を得る事が可能である。
【００５７】
また、例示した実施例のレンズ装置１００と、レンズ装置１００からの被写体光を受光し撮像する撮像素子とを含む撮像装置を構成することによって、本発明の作用効果を享受することができる撮像装置を実現することができる。
【００５８】
上述した実施例では、レンズ装置１００が外部の表示装置２００と通信するための通信部１０１を有し、それと接続された表示装置２００からレンズ装置１００の設定や機能の表示をすることを例示した。本発明はこの構成に限定されることはなく、レンズ装置１００が接続されるカメラ装置とズーム、フォーカス、アイリス等のレンズの機能情報を通信し、このカメラ装置が表示データ構成部、演算処理部、通信部を有して、外部の表示装置２００と接続しても、表示装置２００に特別なアプリケーションデータを必要とすることはない。上記の実施例と同様の作用効果を享受することができる。また、レンズ装置と、該レンズ装置からの被写体光を受光し撮像する撮像素子を含むカメラ装置と、を含む撮像装置を構成することによっても、本発明の作用効果を享受することができる撮像装置を実現することができる。
【００５９】
以上、本発明の好ましい実施形態について説明したが、本発明はこれらの実施形態に限定されず、その要旨の範囲内で種々の変形及び変更が可能である。
【符号の説明】
【００６０】
１００  レンズ装置
１０１  通信部（通信手段）
１０３  表示データ構成部（構成手段）
２００  表示装置
２０２  表示部（表示手段）
２０３  入力部（入力手段）
【図１】
0006532227.tif 000002
【図２】
0006532227.tif 000003
【図３】
0006532227.tif 000004
【図４】
0006532227.tif 000005
【図５】
0006532227.tif 000006
【図６】
0006532227.tif 000007
【図７】
0006532227.tif 000008
【図８】
0006532227.tif 000009
【図９】
0006532227.tif 000010